(57)【要約】【課題】眼鏡使用者の目の近くに表示ユニットを配置することができ、かつ眼鏡のレンズの厚みに関わらず表示ユニットを眼鏡に固定することができるようにする。【解決手段】眼鏡装着型表示装置３は、眼鏡２のレンズ２２をその厚み方向に貫通して形成された貫通孔２３に一部が隙間をもって貫通され、映像を表示する表示ユニット３１と、表示ユニット３１の一部を貫通孔２３に隙間をもって貫通させた状態で、表示ユニット３１を眼鏡２のフレーム２１に取り付けるための取付部３３と、を備えている。【選択図】図１
2015213252.tif 000002
【特許請求の範囲】
【請求項１】
眼鏡のレンズをその厚み方向に貫通して形成された貫通孔に一部が隙間をもって貫通され、映像を表示する表示ユニットと、
前記表示ユニットの一部を前記貫通孔に隙間をもって貫通させた状態で、当該表示ユニットを前記眼鏡のフレームに取り付けるための取付部と、を備えていることを特徴する眼鏡装着型表示装置。
【請求項２】
前記表示ユニットは、前記眼鏡の左右一対のレンズに対応して一対配置され、
前記表示ユニット同士を連結している連結部をさらに備え、
前記連結部には、前記取付部が設けられている請求項１に記載の眼鏡装着型表示装置。
【請求項３】
前記連結部は、一対の前記表示ユニット間の距離を調整可能に構成されている請求項２に記載の眼鏡装着型表示装置。
【請求項４】
前記貫通孔の周面の一部は、前記眼鏡のフレームの一部により形成されており、
前記取付部は、前記フレームの前記一部に取り付けられる請求項１に記載の眼鏡装着型表示装置。
【請求項５】
前記表示ユニットの視度を調整可能な視度調整部をさらに備えている請求項１〜４のいずれか１項に記載の眼鏡装着型表示装置。
【請求項６】
フレームと、このフレームに取り付けられた一対のレンズとを備え、映像を表示する表示ユニットを有する眼鏡装着型表示装置が装着される眼鏡であって、
前記眼鏡には、前記表示ユニットの一部を前記レンズの厚み方向に隙間をもって貫通させるための貫通孔が形成され、
前記フレームは、前記表示ユニットの前記一部が前記貫通孔を隙間をもって貫通した状態で、前記眼鏡装着型表示装置が取り付けられる被取付部を有することを特徴する眼鏡。
【請求項７】
前記貫通孔の周面の一部は、前記フレームの一部により形成されており、
前記被取付部は、前記フレームの前記一部に設けられている請求項６に記載の眼鏡。
【請求項８】
前記貫通孔は、眼鏡使用者の瞳孔間距離に合わせて形成されている請求項６又は７に記載の眼鏡。
【請求項９】
フレームに左右一対のレンズが取り付けられてなる眼鏡と、映像を表示する表示ユニットを有し前記眼鏡に装着される眼鏡装着型表示装置と、を備えた眼鏡装着型表示システムであって、
前記眼鏡には、前記レンズをその厚み方向に貫通する貫通孔が形成され、
前記眼鏡装着型表示装置は、
前記眼鏡の貫通孔に一部が隙間をもって貫通される前記表示ユニットと、
前記表示ユニットの一部を前記貫通孔に隙間をもって貫通させた状態で、当該表示ユニットを前記眼鏡のフレームに取り付けるための取付部と、を備えていることを特徴とする眼鏡装着型表示システム。
【発明の詳細な説明】
【技術分野】
【０００１】
本発明は、眼鏡装着型表示装置、眼鏡、及び眼鏡装着型表示システムに関する。
【背景技術】
【０００２】
近年、患者への侵襲を少なくし術後のＱＯＬ向上等を図ることを目的として、内視鏡手術が多用されている。この内視鏡手術においては、例えば、患者の体腔内に内視鏡や鉗子等の処置具を挿入し、ヘッドマウントディスプレイ（ＨＭＤ）と呼ばれる頭部装着型の表示装置に映し出された内視鏡の映像を確認しながら、術者が処置具を操作して所定の処置を行うことがある（例えば、下記特許文献１参照）。
【０００３】
従来の特許文献１に記載された表示装置は、映像を表示する表示部を有する筐体が術者の目を覆うため、術者が表示装置を装着すると視野が狭くなり、所定の処置を行うのに相当の熟練を要していた。そこで、術者が広視野を確保することができるように、眼鏡に着脱自在に取り付けられる小型の表示装置が提案されている（例えば、下記特許文献２参照）。
【先行技術文献】
【特許文献】
【０００４】
【特許文献１】特開２０１３−１９５９２４号公報
【特許文献２】特開２０００−２２１４３９号公報
【発明の概要】
【発明が解決しようとする課題】
【０００５】
特許文献２に記載された表示装置は、映像を表示する表示ユニットを術者の目の近くに配置するために、眼鏡のレンズに形成された貫通孔に前記表示ユニットが圧入して固定されている。しかし、このような表示装置にあっては、眼鏡のレンズの厚みが薄いと、表示ユニットを貫通孔に圧入しても、貫通孔の周面と表示ユニットの外周面との接触面積が少なくなるため、レンズに対して表示ユニットを固定することができない場合がある。
本発明は、このような事情に鑑みてなされたものであり、眼鏡使用者の目の近くに表示ユニットを配置することができ、かつ眼鏡のレンズの厚みに関わらず表示ユニットを眼鏡に固定することができるようにすることを目的としている。
【課題を解決するための手段】
【０００６】
本発明の眼鏡装着型表示装置は、眼鏡のレンズをその厚み方向に貫通して形成された貫通孔に一部が隙間をもって貫通され、映像を表示する表示ユニットと、前記表示ユニットの一部を前記貫通孔に隙間をもって貫通させた状態で、当該表示ユニットを前記眼鏡のフレームに取り付けるための取付部と、を備えている。
【０００７】
本発明の眼鏡装着型表示装置によれば、表示ユニットの一部を眼鏡のレンズの厚み方向に隙間をもって貫通させた状態で、取付部を眼鏡のフレームに取り付けることができる。これにより、表示ユニットを眼鏡使用者の目の近くに配置することができるとともに、従来のように表示ユニットを眼鏡のレンズに圧入する必要がないので、眼鏡のレンズの厚みに関わらず表示ユニットを眼鏡に固定することができる。
【０００８】
前記表示ユニットは、前記眼鏡の左右一対のレンズに対応して一対配置され、前記眼鏡装着型表示装置は、前記表示ユニット同士を連結している連結部をさらに備え、前記連結部には、前記取付部が設けられているのが好ましい。
この場合、取付部を眼鏡のフレームに取り付けることで、一対の表示ユニットを連結部を介して眼鏡のフレームに簡単に装着することができる。
【０００９】
前記連結部は、一対の前記表示ユニット間の距離を調整可能に構成されているのが好ましい。この場合、眼鏡使用者の瞳孔間距離に合わせて一対の表示ユニット間の距離を連結部により調整することができるため、瞳孔間距離が相互に異なる複数の眼鏡使用者の間で眼鏡装着型表示装置を共用することができる。
【００１０】
前記貫通孔の周面の一部は、前記眼鏡のフレームの一部により形成されており、前記取付部は、前記フレームの前記一部に取り付けられていても良い。
この場合、取付部は、眼鏡の貫通孔の周面の一部を形成するフレームの一部に取り付けられるため、貫通孔がフレームから離反した位置に形成されている場合に比べて、取付部をコンパクトに構成することができる。
【００１１】
前記眼鏡装着型表示装置は、前記表示ユニットの視度を調整可能な視度調整部をさらに備えているのが好ましい。この場合、視度調整部により眼鏡使用者の視力に合わせて表示ユニットの視度を調整することができる。
【００１２】
他の観点からみた本発明の眼鏡は、フレームと、このフレームに取り付けられた一対のレンズとを備え、映像を表示する表示ユニットを有する眼鏡装着型表示装置が装着される眼鏡であって、前記眼鏡には、前記表示ユニットの一部を前記レンズの厚み方向に隙間をもって貫通させるための貫通孔が形成され、前記フレームは、前記表示ユニットの前記一部が前記貫通孔を隙間をもって貫通した状態で、前記眼鏡装着型表示装置が取り付けられる被取付部を有する。
【００１３】
本発明の眼鏡によれば、表示ユニットを眼鏡のレンズの厚み方向に隙間をもって貫通させた状態で、眼鏡装着型表示装置を眼鏡のフレームに取り付けることができる。これにより、表示ユニットを眼鏡使用者の目の近くに配置することができるとともに、従来のように表示ユニットを眼鏡のレンズに圧入する必要がないので、眼鏡のレンズの厚みに関わらず表示ユニットを眼鏡に固定することができる。
【００１４】
前記貫通孔の周面の一部は、前記フレームの一部により形成されており、前記被取付部は、前記フレームの前記一部に設けられているのが好ましい。
この場合、眼鏡の被取付部は、眼鏡の貫通孔の周面の一部を形成するフレームの一部に設けられているため、貫通孔がフレームから離反した位置に形成されている場合に比べて、被取付部をコンパクトに構成することができる。
【００１５】
前記貫通孔は、眼鏡使用者の瞳孔間距離に合わせて形成されているのが好ましい。この場合、眼鏡使用者毎に瞳孔間距離に合わせて貫通孔を形成した複数の眼鏡と、これらの眼鏡にそれぞれ取り付け可能な表示ユニットとを用意しておけば、複数の眼鏡使用者の間で表示ユニットを共用することができる。
【００１６】
他の観点からみた本発明の眼鏡装着型表示システムは、フレームに左右一対のレンズが取り付けられてなる眼鏡と、映像を表示する表示ユニットを有し前記眼鏡に装着される眼鏡装着型表示装置と、を備えた眼鏡装着型表示システムであって、前記眼鏡には、前記レンズをその厚み方向に貫通する貫通孔が形成され、前記眼鏡装着型表示装置は、前記眼鏡の貫通孔に一部が隙間をもって貫通される前記表示ユニットと、前記表示ユニットの一部を前記貫通孔に隙間をもって貫通させた状態で、当該表示ユニットを前記眼鏡のフレームに取り付けるための取付部と、を備えている。
【００１７】
本発明の眼鏡装着型表示システムによれば、表示ユニットを眼鏡のレンズの厚み方向に隙間をもって貫通させた状態で、眼鏡装着型表示装置を眼鏡のフレームに取り付けることができる。これにより、表示ユニットを眼鏡使用者の目の近くに配置することができるとともに、従来のように表示ユニットを眼鏡のレンズに圧入する必要がないので、眼鏡のレンズの厚みに関わらず表示ユニットを眼鏡に固定することができる。
【発明の効果】
【００１８】
本発明によれば、眼鏡使用者の目の近くに表示ユニットを配置することができ、かつ眼鏡のレンズの厚みに関わらず表示ユニットを眼鏡に固定することができる。
【図面の簡単な説明】
【００１９】
【図１】本発明の第１実施形態に係る眼鏡装着型表示システムを示す斜視図である。
【図２】眼鏡装着型表示システムの使用状態を示す側面断面図である。
【図３】眼鏡を示す斜視図である。
【図４】眼鏡装着型表示装置を示しており、（ａ）は正面一部断面図、（ｂ）は（ａ）のＡ−Ａ矢視断面図である。
【図５】表示ユニットを示す側面一部断面図である。
【図６】視度調整部の変形例を示す側面一部断面図である。
【図７】視度調整部の他の変形例を示す側面一部断面図である。
【図８】視度調整部の他の変形例を示す側面一部断面図である。
【図９】連結部の変形例を示す正面一部断面図である。
【図１０】取付部の変形例を示す側面一部断面図である。
【図１１】本発明の第２実施形態に係る眼鏡装着型表示システムを示す斜視図である。
【図１２】第２実施形態の眼鏡を示す斜視図である。
【図１３】第２実施形態の眼鏡装着型表示装置を示す側面図である。
【図１４】第２実施形態の取付部の変形例を示す側面一部断面図である。
【発明を実施するための形態】
【００２０】
以下、本発明の実施の形態を図面に基づいて説明する。
図１は、本発明の第１実施形態に係る眼鏡装着型表示システムを示す斜視図である。図２は、その眼鏡装着型表示システムの使用状態を示す側面断面図である。図１及び図２に示すように、眼鏡装着型表示システム１は、例えば内視鏡手術において術者が内視鏡の映像を確認するために用いられるものであり、術者が使用する眼鏡２と、この眼鏡２に装着される眼鏡装着型表示装置３と、を備えている。眼鏡２は、フレーム２１と、このフレーム２１に取り付けられた左右一対のレンズ２２とを有している。眼鏡装着型表示装置３は、内視鏡が撮影した映像を術者に対して表示する左右一対の表示ユニット３１を有している。
【００２１】
図３は、眼鏡２を示す斜視図である。眼鏡２のフレーム２１は、各レンズ２２の外周縁全体をそれぞれ覆う左右一対の四角枠形状のリム２１ａと、一対のリム２１ａ同士を連結するブリッジ２１ｂと、各リム２１ａに外側部に一端部が接続された左右一対のテンプル２１ｃと、各リム２１ａの内側部に基端部が取り付けられた左右一対のクリングス２１ｄと、を有している。各クリングス２１ｄの先端部には、ノーズパッド２４が取り付けられている。なお、本実施形態のリム２１ａは、四角枠形状に形成されているが、楕円枠形状などの他の形状に形成されていても良い。また、リム２１ａは、レンズ２２の外周縁全体を覆っているが、レンズ２２の上縁部や下縁部など一部のみを覆うものであっても良い。
【００２２】
図２及び図３に示すように、眼鏡２の各レンズ２２の中央上部には、前記表示ユニット３１を当該レンズ２２の厚み方向に隙間をもって貫通させるための貫通孔２３が形成されている。この貫通孔２３は円形に形成されており、貫通孔２３の孔径Ｄ１は、表示ユニット３１のユニット本体３１１の外径Ｄ２よりも若干大きく設定されている。また、各貫通孔２３は、眼鏡使用者の瞳孔間距離（右の黒目の中心と左の黒目の中心との間の距離）に合わせて形成されている。すなわち、各貫通孔２３は、その中心が眼鏡使用者の黒目の中心と略一致する位置に形成されている。
【００２３】
図４は、眼鏡装着型表示装置３を示しており、（ａ）は正面一部断面図、（ｂ）は（ａ）のＡ−Ａ矢視断面図である。図１及び図４に示すように、眼鏡装着型表示装置３は、眼鏡２の左右一対のレンズ２２に対応してそれぞれ配置される左右一対の前記表示ユニット３１と、これらの表示ユニット３１同士を連結している連結部３２と、この連結部３２に設けられた単一の取付部３３と、表示ユニット３１の視度を調整可能な視度調整部３４と、を備えている。
【００２４】
図５は、表示ユニット３１を示す側面一部断面図である。表示ユニット３１は、円筒状に形成されたユニット本体３１１と、このユニット本体３１１の軸方向一端部に取り付けられた表示パネル３１２と、ユニット本体３１１の内部に配置された拡大レンズ３１３と、を有している。表示パネル３１２としては、例えば液晶表示パネルや有機ＥＬ表示パネル等が用いられている。拡大レンズ３１３は、表示パネル３１２の表示映像を眼鏡使用者（術者）に拡大して見えるようにするためのものであり、ユニット本体３１１の内周面に固定された円環状の支持部３１４に取り付けられている。
【００２５】
図５に示すように、視度調整部３４は、ユニット本体３１１の軸方向他端部の内周面に着脱自在に嵌合された略円筒状の調整支持部３４１と、この調整支持部３４１の内周面に取り付けられた調整レンズ３４２と、を有している。本実施形態の調整レンズ３４２は、眼鏡使用者の視力に合わせて調整支持部３４１に対する取付位置が予め設定されている。
したがって、眼鏡使用者が変更された場合には、変更後の眼鏡使用者に対応した視度調整部３４をユニット本体３１１に対して交換することで表示ユニット３１の視度を調整することができる。
【００２６】
図６は、視度調整部３４の変形例を示す側面一部断面図である。この変形例では、調整支持部３４１の外周面に雄ネジ部３４１ａが形成されており、この雄ネジ部３４１ａはユニット本体３１１の内周面に形成された雌ネジ部３１１ａに締結されている。
したがって、眼鏡使用者が変更された場合には、調整支持部３４２をユニット本体３１１に対して緩めたり締め付けたりして調整レンズ３４２をユニット本体３１１に対して軸方向に移動させることで、視度を調整することができる。
【００２７】
図７は、視度調整部３４の他の変形例を示す側面一部断面図である。この変形例では、調整支持部３４１の外周面は、ユニット本体３１１の内周面に対して軸方向に摺動可能に嵌合されている。また、調整支持部３４１の外周面には棒状の操作部３４３が突設されている。この操作部３４３は、ユニット本体３１１に形成された長孔３１１ｂ内に挿通され、操作部３４３の先端部は、ユニット本体３１１の外周面よりも外方に突出している。
したがって、眼鏡使用者が変更された場合には、操作部３４３をユニット本体３１１の軸方向に移動させ、調整支持部３４１と共に調整レンズ３４２をユニット本体３１１に対して軸方向に移動させることで、視度を調整することができる。
【００２８】
図８は、図７の視度調整部３４の変形例を示す側面一部断面図である。この変形例では、ユニット本体３１１にその厚み方向に貫通するネジ孔３１１ｃが形成されており、このネジ孔３１１ｃには、先端面に円錐部３４４ａが一体に形成された調整ボルト３４４が締結されている。円錐部３４４ａは、支持部３１４の一端面に形成されたテーパ面３１４ａと、調整支持部３４１の一端面に形成されたテーパ面３４１ｂとにそれぞれ摺接している。また、調整支持部３４１は、図示しないバネ等の弾性部材によりユニット本体３１１に対して軸方向内側（図中の左側）に向けて付勢されている。
したがって、眼鏡使用者が変更された場合には、調整ボルト３４４を緩めたり締め付けたりして円錐部３４４ａをユニット本体３１１の内部に出し入れすると、この円錐部３４４ａに摺接する調整支持部３４１がユニット本体３１１に対して軸方向に移動することで、視度を調整することができる。
【００２９】
図４（ａ）に示すように、一対の表示ユニット３１同士を連結している連結部３２は、これらの表示ユニット３１間の距離を調整可能に構成されている。具体的には、連結部３２は、角筒状に形成された外筒体３２１と、この外筒体３２１にその両端部からそれぞれ挿入された左右一対の内筒体３２２と、外筒体３２１に対して各内筒体３２２を軸方向内側にそれぞれ付勢する一対の弾性体３２３と、を有している。各弾性体３２３は、例えば引張コイルバネからなり、長手方向一端部は外筒体３２１内の中央部に固定された仕切板３２１ａに接続され、長手方向他端部は内筒体３２２内に固定された固定板３２２ａに接続されている。
【００３０】
これにより、各内筒体３２２は、弾性体３２３により外筒体３２１に対して軸方向内側に付勢されている。したがって、各内筒体３２２を、弾性体３２３の付勢力に抗して外筒体３２１の軸方向外側に移動させることで、両表示ユニット３１の間隔を調整することができる。なお、本実施形態では、連結部３２に対して一対の内筒体３２２がそれぞれ軸方向に移動するようになっているが、一方の内筒体３２２のみを軸方向に移動可能とし、他方の内筒体３２２を連結部３２に固定しても良い。
【００３１】
図９は、連結部３２の変形例を示す正面一部断面図である。この変形例における連結部３２は、弾性体の代わりに連結ボルト３２４を用いて、両表示ユニット３１の間隔を調整・保持するものである。具体的には、各内筒体３２２には、その軸方向に複数のネジ孔３２２ｂが形成されており、これらの各ネジ孔３２２ｂには、外筒体３２１の軸方向両端部においてその厚み方向に貫通した連結ボルト３２４を締結することができるようになっている。したがって、外筒体３２１に対して内筒体３２２を軸方向に移動させ、連結ボルト３２４を内筒体３２２の複数のネジ孔３２２ｂのうちのいずれかに締結することで、両表示ユニット３１の間隔を調整した状態で保持することができる。
【００３２】
図４（ａ）及び（ｂ）に示すように、眼鏡装着型表示装置３の取付部３３は、連結部３２の外筒体３２１の長手方向中央部の背面に固定されている。本実施形態の取付部３３は、断面Ｌ字形状に形成されており、表示ユニット３１のユニット本体３１１をレンズ２２の貫通孔２３に隙間をもって貫通させた状態（図２参照）で、フレーム２１のブリッジ２１ｂに着脱自在に係合される。したがって、本実施形態におけるブリッジ２１ｂは、表示ユニット３１のユニット本体３１１をレンズ２２の貫通孔２３に隙間をもって貫通させた状態で、眼鏡装着型表示装置３の取付部３３が着脱自在に取り付けられる被取付部２１ｅとされている。
【００３３】
このように、眼鏡装着型表示装置３の取付部３３をフレーム２１の被取付部２１ｅに取り付けることで、眼鏡装着型表示装置３の表示ユニット３１を眼鏡使用者の目Ｅの近くに配置することができる（図２参照）。また、表示ユニット３１は眼鏡２の各レンズ２２の一部に配置されるため、眼鏡使用者は表示ユニット３１の表示映像以外の視野も確保することができる。
なお、本実施形態では、ブリッジ２１ｂが被取付部２１ｅを兼ねているが、ブリッジ２１ｂとは別体の被取付部２１ｅを、ブリッジ２１ｂやリム２１ａ等に取り付けるようにしても良い。
【００３４】
図１０は、取付部３３の変形例を示す側面一部断面図である。この変形例における取付部３３は、連結部３２の外筒体３２１の長手方向中央部の背面に突設された雄ネジ３３１と、この雄ネジ３３１が締結されるナット３３２と、を有している。雄ネジ３３１は、フレーム２１のブリッジ２１ｂに形成された貫通孔２１ｂ１を貫通した状態で、ナット３３２に締結されるようになっている。これにより、一対の表示ユニット３１を眼鏡２のフレーム２１に取り付けることができる。
【００３５】
以上、本実施形態の眼鏡装着型表示システム１、眼鏡２及び眼鏡装着型表示装置３によれば、眼鏡装着型表示装置３の表示ユニット３１を眼鏡２のレンズ２２の厚み方向に隙間をもって貫通させた状態で、眼鏡装着型表示装置３の取付部３３を眼鏡２のフレーム２１に取り付けることができる。これにより、表示ユニット３１を眼鏡使用者の目Ｅの近くに配置することができるとともに、従来のように表示ユニット３１を眼鏡２のレンズ２２に圧入する必要がないので、眼鏡２のレンズ２２の厚みに関わらず表示ユニット３１を眼鏡２に固定することができる。
また、眼鏡装着型表示装置３の単一の取付部３３を眼鏡２のフレーム２１に取り付けることで、左右一対の表示ユニット３１を連結部３２を介して眼鏡２のフレーム２１に簡単に装着することができる。
【００３６】
また、眼鏡装着型表示装置３は、表示ユニット３１の視度を調整可能な視度調整部３４を備えているため、この視度調整部３４により眼鏡使用者の視力に合わせて表示ユニット３１の視度を調整することができる。また、個々の眼鏡使用者の視力に合わせてレンズ２２の厚みが調整された眼鏡２と、個々の眼鏡使用者に合わせて視度調整された表示ユニット３１とを用いる場合であっても、従来のように眼鏡のレンズに表示ユニットを圧入することなく、表示ユニット３１を眼鏡２に取り付けることができる。
【００３７】
また、眼鏡装着型表示装置３の連結部３２は、左右一対の表示ユニット３１間の距離を調整可能に構成されているため、眼鏡使用者の瞳孔間距離に合わせて一対の表示ユニット３１間の距離を連結部３２により調整することができる。これにより、瞳孔間距離が相互に異なる複数の眼鏡使用者の間で眼鏡装着型表示装置３を共用することができる。
また、眼鏡２の貫通孔２３は、眼鏡使用者の瞳孔間距離に合わせて形成されているため、眼鏡使用者毎に、瞳孔間距離に合わせて貫通孔２３を形成した眼鏡２を用意しておけば、表示ユニット３１を複数の眼鏡使用者の間で共用することができる。
【００３８】
図１１は、本発明の第２実施形態に係る眼鏡装着型表示システムを示す斜視図である。本実施形態の眼鏡装着型表示システム１は、眼鏡装着型表示装置３の取付部３３の構成、及び眼鏡２の貫通孔２３の形成位置がそれぞれ異なる点で、第１実施形態の眼鏡装着型表示システム１と相違する。
【００３９】
図１２は、本実施形態の眼鏡２を示す斜視図である。各レンズ２２の中央上部には、その上縁が開口するＵ字形状の切り欠き２２ａが形成されている。この切り欠き２２ａの開口は、フレーム２１の一部であるリム２１ａの上縁中央部により覆われており、この上縁中央部と切り欠き２２ａとによって貫通孔２３が形成されている。すなわち、本実施形態の貫通孔２３の周面の一部は、フレーム２１の一部により形成されている。
【００４０】
なお、本実施形態の貫通孔２３を構成する切り欠き２２ａは、レンズ２２の中央上部に形成されているが、レンズ２２の左右両側部のうちのいずれか一方、又はレンズ２２の中央下部に形成されていても良い。前者の場合はリム２１ａの側縁を、後者の場合はリム２１ａの下縁を、貫通孔２３の周面の一部とすれば良い。
また、切り欠き２２ａは、四角形状のレンズ２２の四角のうちのいずれかに形成されていて良い。この場合、切り欠き２２ａが形成された角部に隣接するリム２１ａの上縁と側縁（又は下縁と側縁）を、貫通孔２３の周面の一部とすれば良い。
【００４１】
図１３は、本実施形態の眼鏡装着型表示装置３を示す側面図である。図１１及び図１３に示すように、この眼鏡装着型表示装置３は、各表示ユニット３１のユニット本体３１１の外周面に突設された一対のフック形状の取付部３３を有している。各取付部３３は、表示ユニット３１のユニット本体３１１をレンズ２２の貫通孔２３に隙間をもって貫通させた状態で、リム２１ａの前記上縁中央部に着脱自在に係合される。したがって、本実施形態におけるリム２１ａの前記上縁中央部は、表示ユニット３１のユニット本体３１１をレンズ２２の貫通孔２３に隙間をもって貫通させた状態で眼鏡装着型表示装置３の取付部３３が着脱自在に取り付けられる被取付部２１ｅとされている。
なお、第２実施形態において説明を省略した点については、第１実施形態と同様である。
【００４２】
図１４は、本実施形態の取付部３３の変形例を示す側面一部断面図である。この変形例における取付部３３は、ユニット本体３１１の外周面に固定された突出部３３３と、この突出部３３３に固定された雄ネジ３３１と、この雄ネジ３３１が締結されるナット３３２と、を有している。雄ネジ３３１は、フレーム２１の被取付部２１ｅに形成された貫通孔２１ｅ１を貫通した状態で、ナット３３２に締結されるようになっている。これにより、各表示ユニット３１を眼鏡２のフレーム２１に取り付けることができる。
【００４３】
以上、本実施形態の眼鏡装着型表示システム１、眼鏡２及び眼鏡装着型表示装置３によれば、眼鏡装着型表示装置３の取付部３３は、眼鏡２の貫通孔２３の周面の一部を形成するフレーム２１の一部に取り付けられるため、貫通孔２３がフレーム２１から離反した位置に形成されている場合に比べて、取付部３３をコンパクトに構成することができる。
また、眼鏡２の被取付部２１ｅは、眼鏡２の貫通孔２３の周面の一部を形成するフレーム２１の一部に設けられているため、貫通孔２３がフレーム２１から離反した位置に形成されている場合に比べて、被取付部２１ｅをコンパクトに構成することができる。
【００４４】
なお、本発明は、上記実施形態に限定されることなく適宜変更して実施可能である。例えば、第１実施形態の眼鏡２に形成された貫通孔２３は、レンズ２２のみによって形成されているが、第２実施形態の貫通孔２３のように、レンズ２２とフレーム１の一部（リム２１ａ）とによって形成されていても良い。また、第２実施形態の眼鏡２に形成された貫通孔２３は、レンズ２２とフレーム１の一部（リム２１ａ）とによって形成されているが、第１実施形態の貫通孔２３のように、レンズ２２のみによって形成されていても良い。
【符号の説明】
【００４５】
１  眼鏡装着型表示システム
２  眼鏡
３  眼鏡装着型表示装置
２１  フレーム
２１ｅ  被取付部
２２  レンズ
２３  貫通孔
３１  表示ユニット
３２  連結部
３３  取付部
３４  視度調整部
【図１】
2015213252.tif 000003
【図２】
2015213252.tif 000004
【図３】
2015213252.tif 000005
【図４】
2015213252.tif 000006
【図５】
2015213252.tif 000007
【図６】
2015213252.tif 000008
【図７】
2015213252.tif 000009
【図８】
2015213252.tif 000010
【図９】
2015213252.tif 000011
【図１０】
2015213252.tif 000012
【図１１】
2015213252.tif 000013
【図１２】
2015213252.tif 000014
【図１３】
2015213252.tif 000015
【図１４】
2015213252.tif 000016